(57)【要約】【課題】  複数の異なる種類の美容機能を手軽に交換して使用することが可能であって、同時に低コスト化、優れた環境性を実現する美容器及び美容器システムを提供すること。【解決手段】  互いに合体と離脱が可能な少なくとも第１ユニット２０及び第２ユニット１０を含むユニット群から構成される美容器１であって、少なくとも第１ユニット２０と第２ユニット１０とは合体時の位置関係によって２種類以上の外観を構成することができ、第１ユニット２０には少なくとも第２ユニット１０に電力を供給する電源手段を備えると共に、第２ユニット１０には美容機能を提供する機能別アプリケータ構造体を少なくとも備える。【選択図】図１
2014014520.tif 000002
【特許請求の範囲】
【請求項１】
互いに合体と離脱が可能な少なくとも第１ユニット及び第２ユニットを含むユニット群から構成される美容器であって、
少なくとも該第１ユニットと該第２ユニットとは合体時の位置関係によって２種類以上の外観を構成することができ、
該第１ユニットには少なくとも該第２ユニットに電力を供給する電源手段を備えると共に、
該第２ユニットには美容機能を提供する機能別アプリケータ構造体を少なくとも備えた
ことを特徴とする美容器。
【請求項２】
前記第１ユニットと前記第２ユニットとの合体時の位置関係によって、該第２ユニットにおける美容機能の動作を制御する
請求項１に記載の美容器。
【請求項３】
前記機能別アプリケータ構造体として、イオン導入/導出器、ヒータ、ミスト発生装置、超音波発生装置、バイブレータ、水分計、低周波発生装置、高周波発生装置、レーザ光照射装置、剃毛装置、脱毛装置のいずれか、又はこれらの組み合わせを備えた
請求項１又は２に記載の美容器。
【請求項４】
少なくとも一方向から見た時の前記第１ユニットと前記第２ユニットとの外形が略対称形であって、両ユニットの合体時の位置関係によって２種類以上の対称的な外観を構成する
請求項１ないし３のいずれかに記載の美容器。
【請求項５】
前記２種類以上の外観が、楕円形又は長方形のストレート型と、ハート形又は山括弧形の屈折型とに変化する外観である
請求項４に記載の美容器。
【請求項６】
前記第１ユニットの電源手段として、１次電池又は２次電池を用いる
請求項１又は２に記載の美容器。
【請求項７】
前記請求項１ないし６のいずれかに記載の美容器と、交換用の前記第２ユニットとを組み合わせた美容器システムであって、
前記第１ユニット及び、第１の種類の美容機能を提供する機能別アプリケータ構造体を少なくとも備えた第２ユニットからなる美容器と、
該第１ユニットと合体と離脱が可能であって、第２の種類の美容機能を提供する機能別アプリケータ構造体を少なくとも備えた第２ユニットとを備え、
１つの第１ユニットに対して、２以上の第２ユニットを交換して合体させることで２種類以上の美容機能を提供できるようにした
ことを特徴とする美容器システム。
【請求項８】
前記請求項７の美容器システムに用いられ、
ある種類の美容機能を提供する機能別アプリケータ構造体を少なくとも備えた
ことを特徴とする第２ユニット。
【発明の詳細な説明】
【技術分野】
【０００１】
本発明は、様々な機能を選択して備えることのできる美容器とそのシステムに関し、特に美容機能を提供するアプリケータ構造体を交換可能にする技術に関する。
【背景技術】
【０００２】
使用者が手で持ちながら顔や頭部、その他の身体部位に美容を行うための美容器が種々提供されている。例えば、マイナスイオンを放出して美容液の浸透効果を高めるイオン導入器（特許文献１参照）、プラスイオンにより汚れ落としの効果を高めるイオン導出器、ヒータ機能、肌面を潤すミスト発生装置（特許文献２参照）、超音波振動によって肌に微細な刺激を与える超音波（ソニック）発生装置（特許文献３参照）、バイブレータ、肌の水分量を測定する水分計、微弱な電流によって筋肉をマッサージする低周波発生装置（特許文献４参照）及び高周波発生装置、レーザ光によって角質やシミ・くすみに作用させたり脱毛を行うレーザ光照射装置（特許文献５参照）、剃毛装置、脱毛装置（特許文献６参照）などが知られている。
【０００３】
さらに、上記の各機能を数種類組み合わせた美容器も製品化されている。例えば、ヤーマン株式会社製「プラチナホワイトソニック HSI-11」は、超音波振動機能と、イオン導出機能、ヒータ機能が装備されている。また、同社製「プラチナソニック  HDS-14」では、超音波振動機能、ＥＭＳ（低周波振動）機能、遠赤外温熱機能が装備されている。
【０００４】
一方、上記のようはハンディタイプの美容器は各機能を有する動作部と、動作部に電力を供給する電源が必要であり、従来の構成では予め製品設計として決められた機能と専用の電源とを一体構成した美容器が提供されてきた。
【０００５】
そのうち、いくつかの美容器では機能的には予定された種類の機能だけを提供するものの、先端形状などをアタッチメントで交換可能にしたものがある。
例えば、特許文献７には、使用部位に合わせて交換できる１個で２役のアタッチメントを装着できる美顔器が開示されている。本文献では肌に当たる略筒状の吸引用のアタッチメントであって、開口面の形状が異なる口部を両端に備えたアタッチメントを提案している。ただし、交換可能なアタッチメントは吸引機能を提供するためのものに限られている。
【０００６】
特許文献８には、マッサージ処置を行うための美顔処置器において、電気的な加熱装置を配設し、処置ヘッドを交換可能に構成している。本文献の技術でも加熱機能については既定されたものであり、他の美容機能を提供するものではない。
さらに本件出願人による特許文献９には１つのプローブで美肌と痩身の両方の処置ができる超音波プローブが開示されている。本文献では大小複数のヘッドを、共通のインターフェースで接続するコネクタを介して交換可能に取り付けることを提案しているが、超音波振動体による振動機能については共通に使用される。
【先行技術文献】
【特許文献】
【０００７】
【特許文献１】特許第４７４４９６８号
【特許文献２】特許第４８８１３０８号
【特許文献３】特許第３６２１２９６号
【特許文献４】特許第４９４９５７２号
【特許文献５】特許第３６５８５３８号
【特許文献６】特許第４３２７４７６号
【特許文献７】特開平11-196936号
【特許文献８】特開2001-61555号
【特許文献９】特開2001-268680号
【発明の概要】
【発明が解決しようとする課題】
【０００８】
以上に述べたように、従来の美容器では１つの製品が提供する美容機能は予め決められた機能に限られていた。予め複数の機能を備えたものや、同じ機能の中で提供態様を変化させるためにアタッチメントを交換するものは提案されているが、１つの美容器で機能を随時拡張できるようなシステムは提供されていない。
【０００９】
機能別に別々の美容器として提供されると、備えられた機能が重複したり、美容器の数が多くなって持ち運びや収納に不便である。当然、製造コストや製品価格は機能ごとに１個の美容器の価格となるので、様々な機能を欲する場合にはトータルのコストが高くなる問題もある。
さらに、美容器に備えられる機能は日々新たな方法が提案されており、流行の変化も早い。新しい機能が開発されるたびに美容器全体を買い換え、古い機器を廃棄することは環境面でも好ましくない。
【００１０】
本発明は上記従来技術の有する問題点に鑑みて創出されたものであり、複数の異なる種類の美容機能を手軽に交換して使用することが可能であって、同時に低コスト化、優れた環境性を実現する美容器及び美容器システムを提供することを目的とする。
【課題を解決するための手段】
【００１１】
上記課題を解決するため、本発明は次のような美容器を提供する。
すなわち、互いに合体と離脱が可能な少なくとも第１ユニット及び第２ユニットを含むユニット群から構成される美容器であって、少なくとも第１ユニットと第２ユニットとは合体時の位置関係によって２種類以上の外観を構成することができる。
この第１ユニットには少なくとも第２ユニットに電力を供給する電源手段を備えると共に、第２ユニットには美容機能を提供する機能別アプリケータ構造体を少なくとも備える。
【００１２】
上記の第１ユニットと上記の第２ユニットとの合体時の位置関係によって、第２ユニットにおける美容機能の動作を制御するようにしてもよい。例えば、第１ユニットと第２ユニットを合体させた上で、相互の相対角度または相対距離に応じて、第２ユニットの動作・非動作や、動作モードが切り替わるようにすることができる。
【００１３】
上記の機能別アプリケータ構造体として、イオン導入/導出器、ヒータ、ミスト発生装置、超音波発生装置、バイブレータ、水分計、低周波発生装置、高周波発生装置、レーザ光照射装置、剃毛装置、脱毛装置のいずれか、又はこれらの組み合わせを備えることもできる。
【００１４】
少なくとも一方向から見た時の、上記第１ユニットと第２ユニットの外形が略対称形であって、両ユニットの合体時の位置関係によって２種類以上の対称的な外観を構成することもできる。
【００１５】
上記の２種類以上の外観が、楕円形又は長方形のストレート型と、ハート形又は山括弧形の屈折型とに変化する外観としてもよい。
また、第１ユニットの電源手段として、１次電池又は２次電池を用いてもよい。
【００１６】
本発明は上記した美容器と、交換用に提供される第２ユニットとを組み合わせた美容器システムとして提供することもできる。
すなわち、第１ユニット及び、第１の種類の美容機能を提供する機能別アプリケータ構造体を少なくとも備えた第２ユニットからなる美容器と、第１ユニットと合体と離脱が可能であって、第２の種類の美容機能を提供する機能別アプリケータ構造体を少なくとも備えた第２ユニットとを備え、１つの第１ユニットに対して、２以上の第２ユニットを交換して合体させることで２種類以上の美容機能を提供できる。
【００１７】
さらに、上記の美容器システムに用いられ、任意に選択するある種類の美容機能を提供する機能別アプリケータ構造体を少なくとも備えた第２ユニットのみで提供することもできる。
【発明の効果】
【００１８】
本発明は合体と離脱が可能な第１ユニット、第２ユニットを含むユニット群で構成され、第１ユニットに電源手段を備えることで、第２ユニットを交換しても第１ユニットを共通化することができる。
第２ユニットには美容機能を提供する機能別アプリケータ構造体を備えるので、異なる種類の美容機能のユニットに交換して使用することができる。
【００１９】
第１ユニットと第２ユニットの合体時の位置関係によって動作を制御する構成によれば、ユニット同士を手で動かすだけで操作できるので、取り扱いが簡便であり、使用上の楽しさにもつながる。また、スイッチ数を削減できるので意匠性の向上、製造コストの低減にも寄与する。
【００２０】
第１ユニットと第２ユニットの外形を略対称形とすることで、合体時の一体感の向上と、第２ユニットの形状の共通化が容易となる。同時に、合体時の位置関係を変えたときに異なる対称形とすることで、シンメトリーな意匠性を維持しながら、上記制御状態を明確に認識することができる。
特にハート型などの形状にすれば、美容器の使用者に多い女性向けに魅力のある外観形状とすることができる。
【００２１】
第１ユニットに１次電池又は２次電池を用いることで、持ち運びが可能な美容器を提供することができ、特に第１ユニットは１つで、複数の第２ユニットを交換用に持ち運ぶことで、本発明に固有な効果を奏する。また、２次電池を使用する場合、第２ユニットと関係なく充電することができるので、単体で充電でき、充電場所を選ぶこともない。
【図面の簡単な説明】
【００２２】
【図１】本発明に係る美容器の斜視図。
【図２】本発明に係る美容器の動作説明図。
【図３】美容器における各ユニットの合体・離脱の説明図。
【図４】第２ユニットの様々な例を示す説明図。
【図５】第２ユニットがミスト発生装置であるときの説明図
【発明を実施するための形態】
【００２３】
以下、本発明の実施形態を、図面に示す実施例を基に説明する。なお、実施形態は下記に限定されるものではない。
図１は本発明に係る美容器（１）の斜視図である。本美容器（１）は使用者が片手で保持できる程度の大きさ、すなわち全長１０〜１５ｃｍ程度、幅４〜７ｃｍ程度、厚み２〜４ｃｍ程度に収まる略楕円板状の形状をなしている。上側に美容機能を提供する機能別アプリケータ構造体である機能ユニット（１０）と、下側に機能ユニット（１０）に電源を供給する電源ユニット（２０）を配置している。
【００２４】
本実施例では、第１ユニットである電源ユニット（２０）と、第２ユニットである機能ユニット（１０）との２つのユニットから構成する例を述べるが、本発明は最低２つのユニットを備えることを特徴とし、さらに第３、第４のユニットから構成してもよい。その場合、少なくとも第１のユニットには電源を供給する電源手段を備えることが必須である。
【００２５】
機能ユニット（１０）は、電源ユニット（２０）と長手方向から４５度傾斜した合体面（１１）で当接しており、表面（１２）側には、イオン導出・導入及びヒータの機能を備えたヘッド部（１３）を備えている。裏面は略平面である。
また、図中右側面には、ヒータの入切を切り替えるためのスライドスイッチ（１４）を備えている。
【００２６】
ヘッド部（１３）の機能であるイオン導出・導入やヒータとして作用するアプリケータ構造体の構成は公知であるから、説明を省略する。ヘッド部はイオン導出・導入の電極である。
イオン導入の使用時には、皮膚内部にイオン導入するための水溶性の有効成分としての化粧水や美容液を含浸させたシートをヘッド部（１３）に装着して使用する。
【００２７】
一方、電源ユニット（２０）は、上記機能ユニット（１０）の合体面（１１）と対向する合体面（２１）を有し、表面（２２）と共に裏面も略平面である。機能ユニット（１０）との関係では表面（１２）（２２）同士、裏面同士はそれぞれ連続的な略平面（意匠としてはわずかに膨らんだ曲面を呈している）を成しているので合体時には一体的な外観となる。
【００２８】
電源ユニット（２０）の下端面には充電ポート（２３）を設け、これに電力を供給することで内部の充電池を充電する。本実施例では充電ポート（２３）にはミニＵＳＢ規格のコネクタを採用しているので、商用電源から電源アダプタを介して充電が行える他、パソコンのＵＳＢ端子と接続して充電することも可能である。
【００２９】
次に、美容器（１）の変形の様子を図２に示す。
図２（ａ）の状態は、図１と同様に機能ユニット（１０）と電源ユニット（２０）が合体した時の状態である。本実施例の美容器（１）は、対称軸（ｌ１）に関して線対称形であり、合体面（１１）（２１）で両ユニット（１０）（２０）を互いに回転させることができる。
本状態において、合体面の一端（１１ａ）（２１ａ）同士と、他端（１１ｂ）（２１ｂ）同士がそれぞれ接している。
【００３０】
図２（ｂ）は、機能ユニット（１０）の表裏面を保ったまま、電源ユニット（２０）を９０度回転させた状態である。すなわち、（ａ）の上端側が紙面の手前方向に回転している。
図２（ｃ）は、電源ユニット（２０）をさらに９０度回転させた状態である。このとき、合体面（１１）（１２）は再び対向する。対称軸（ｌ１）と、合体面（１１）（１２）との交点を中心に回転しているため、合体面（１１）（１２）の端部は（ａ）の状態と組み合わせを変えて、端部（１１ａ）と端部（２１ｂ）、端部（１１ｂ）と端部（２１ａ）とがずれることなく接し、対称軸（ｌ２）に関して新たな対称形を構成する。
【００３１】
図示で明らかな通り、楕円型の状態から、ハート型に変形するので、外観の変化を楽しむことができる。特に、ハート型の状態で、斜辺を机上に載置すれば、置いた状態でもハート型の良好な外観を有し、アクセサリーとしても使用することができる。
さらに、両ユニット（１０）（２０）を相対的に回転させることで、例えば本実施例のように９０度の屈折した外形形状となる。電源ユニット（２０）を手で把持したときに、機能ユニット（１０）の向きがより適した向きになる方を選択することで、機能ユニット（１０）の使いやすさにも寄与する。
【００３２】
ハート型のヘッド部（１３）は、ハートの谷間を利用して小鼻などの立体的な部分のケアを行うと共に、広い平面部分を使用して通常の部位のケアを行う。
ヘッド部（１３）がハートで、さらに外形形状がハート型に変化するので、大小のハート型が重畳した外観を有し、意匠上も好ましい。
【００３３】
本発明では上記のように少なくとも２つのユニット（１０）（２０）の相対的な位置関係が変化する構成が好ましい。その際、変化させても２つのユニットのデザインの一体感を損なうことがないように、外形を対称形とし、変形の際には新たにシンメトリーな形状となる。
例えば、上記のようにストレート型（楕円形）と屈折型（ハート形）とに変化する他、ストレート型が長方形で屈折型が山括弧形となる構成でもよい。
【００３４】
合体面（１１）（２１）と対称軸の角度は上記の４５度に限らず、３０度、７５度などでもよい。
合体面（１１）（２１）と対称軸の角度が９０度の場合、回転させても外形形状に変化がないが、例えば表面と裏面の着色や模様を相異させることで回転に伴って外観を変化さえることができる。
【００３５】
また、対称軸と合体面とが重複していてもよい。その場合、例えば回転前は両ユニットとも上向きに凸形状であったものが、回転後には片方だけが上向きに凸、他方は下向きに凸となるような変化を生じさせることもできる。
【００３６】
本発明において、機能ユニット（１０）と電源ユニット（２０）の位置関係によって、機能ユニット（１０）における美容機能の動作を制御することができる。
すなわち、本実施例に係るイオン導出・導入及びヒータ機能を装備した美容器（１）においては、美容器（１）自体の電源のオン・オフと、ヒータのオン・オフと２つの切り替えが必要となる。
そこで、美容器（１）の電源については、ストレート型（図２（ａ）の状態）の時に電源オン、屈折型（図２（ｃ）の状態）の時に電源オフとなるように構成している。
【００３７】
具体的には機能ユニット（１０）（２０）の合体面（１１）（２１）に状態によって接触状態が異なる接点を設けておき、電源オン時には導通、電源オフ時には非導通とすればよい。接点は有接点式のものに限らず、無接点式でもよい。
もちろん、ストレート型の時に電源オフ、屈折型の時に電源オンとなる構成でもよい。
【００３８】
機能ユニット（１０）と電源ユニット（２０）の位置関係によって美容機能の動作を制御することで、見かけ上で動作状態が明認できるので、上記優れた外観に加えて実用性も具備する。
特に、美容機能の種類によっては外見では動作状態が判断しにくい場合があるので、外形形状が大きく変化する構成は好適である。
【００３９】
本発明における動作の制御は、電源のオン、オフに限らず、動作モードの変更に用いてもよい。例えば、イオン導入と導出の切替や、強弱、大小、速さ、動作時間の変化などを制御してもよい。
制御は、入切の２択でもよいし、程度によって多段階又は無段階の切り替えを行ってもよい。例えば、機能ユニット（１０）と電源ユニット（２０）の角度又は距離によって程度が変わる構成でもよい。
【００４０】
図３は、美容器（１）の合体と離脱とを説明する図である。
図３（ａ）に示すように、電源ユニット（２０）側の内部に係合突起（２６ａ）を備えた回転係合部（２６）を備える一方、機能ユニット（１０）には係合突起（２６ａ）が係合する係合受け部（１５）を備える。
【００４１】
そして、機能ユニット（１０）と電源ユニット（２０）とを係合させると、係合突起（２６ａ）が係合受け部（１５）と係合したまま摺動し、相互に回転可能となる。（図３（ｂ）参照）
本実施例において、このように合体・離脱のための係合機構を接点と別に設けているのは、回転や使用によって生じる応力を接点に及ぼさないようにし、耐久性を高めるためである。
【００４２】
図３に示すように、電源ユニット（２０）の内部には充電池（２５）を備えている。電源ユニット（２０）にはこの他に図示しない充電回路を備え、充電ポート（２３）から入力した電力で充電池（２５）を充電する。
後述するように、機能ユニット（１０）は様々取り替えて使用する。そのために、電源ユニット（２０）の充電池（２５）には想定される機能ユニット（１０）の動作条件を全て満たす電圧、容量を選択する。
【００４３】
本発明の電源ユニット（２０）としては、充電池を用いる構成に限らず、一次電池である乾電池を用いることもできる。商用電源の交流電圧を変換する回路や、電源アダプタからの直流電流を入力した上で、必要に応じて変圧等を行い、機能ユニット（１０）に電力を供給する構成でもよい。太陽電池や手回し発電機などの電源手段を備える構成でもよい。
【００４４】
図４，図５は機能ユニットの様々な形状、種類を説明する図である。
まず、機能別アプリケータ構造体として上記実施例と同じイオン導出・導入及びヒータ機能を備えた構成を述べる。
図４（ａ）の美容器（３）は、ヘッド（３１）に雫形の電極を備えた機能ユニット（３０）を電源ユニット（２０）に組み合わせた例である。雫形ヘッド（３１）は、肌全体に作用させる大きな平面部分（３１ａ）と、雫形の頂点を切り出して小型の斜面（３１ｂ）を形成している。この斜面部分は小鼻や目元など小さな部位のケアに適している。
【００４５】
図４（ｂ）の美容器（４）は、中央にボール部（４１ａ）、周囲に環状部（４１ｂ）を配置したヘッド（４１）を備えた機能ユニット（４０）の例である。ボール部（４１ａ）は、内部でバネによって外側に付勢されており、ボールの先端を小鼻や目元に軽く押し当ててケアを行う。
【００４６】
図４（ｃ）の美容器（５）は、ピラミッド形の電極（５１）を備えた機能ユニット（５０）の例である。ピラミッドの頂点（５１ａ）は小鼻や目元のケアに、ピラミッドの側面（５１ｂ）は通常の部位のケアに用いる。
【００４７】
図４（ｄ）の美容器（６）は、上記と異なり、超音波発生装置とバイブレーションの機能とを兼ね備えた機能ユニット（６０）の例である。ヘッド（６１）は円柱状であって、内部に振動子を備えることでヘッドの表面（６１ａ）が超音波振動し、マッサージ感を与えることができる。同時に、バイブレーションを備えており、体感の乏しい超音波とバイブレーションを組み合わせることでマッサージ感を高めている。
本実施例において、ヘッド（６１）の表面（６１ａ）の裏側は内部において直接バイブを与えるモータと接しておらず、機能ユニット（６０）と電源ユニット（２０）のヘッド（６１）以外の部位に振動が伝わりにくいように構成している。
【００４８】
上記美容器（６）のヘッドにおいて、ヘッド部（６１）が首振りを行って、自由な向きに向かせるようにしてもよい。肌の凹凸に合わせて最適な向きでヘッドが肌に接触するようになる。
【００４９】
図５に示す美容器（７）は、機能別アプリケータ構造体としてミスト機能及び肌水分計を備えた機能ユニット（７０）の構成である。
ミストを放出する噴霧口（７１）とその上下両側の外周に水分計のプローブ（７２）（７２）を配置している。
プローブ（７２）（７２）で測定した水分計測結果は、３つのランプ表示からなる表示部（７３）に表示される。
【００５０】
同時に、計測結果に基づいて、噴霧口（７１）からの噴霧量が自動調整される。すなわち、乾燥時には噴霧量を大きく、潤い時には噴霧量を小さくする。
また、側面にはスライドスイッチ（７４）を配置し、該スイッチによってミスト噴霧モードと、肌水分測定モードとを切り替えることができる。
【００５１】
本美容器（７）の裏面には、吸水口（７５）を備えて、ここから噴霧するための水を補給する。噴霧口は図示しないパッキンで閉塞して使用する。
本発明では、機能ユニット（１０）を電源ユニット（２０）から離脱することができるので、吸水時に電源に水が触れるリスクを減らすことができ、使用性が向上する。
【００５２】
本発明の機能ユニットとしては、上記例示の他に、低周波発生装置、高周波発生装置、レーザ光照射装置、剃毛装置、脱毛装置など、公知の美容機能を実装することができる。各機能は、単機能で搭載してもよいし、任意に組み合わせて備えてもよい。
また、１つの機能ユニットに対して、異なる形状のヘッドを取り替えて装着できるようにしてもよい。
【００５３】
本発明は、１個の機能ユニット（１０）と１個の電源ユニット（２０）との組み合わせに限らず、複数個の機能ユニット（１０）を交換しながら電源ユニット（２０）と合体させて使用する美容器システムとして提供することもできる。
例えば、イオン導出・導入及びヒータ機能を有する機能ユニットと、バイブレータによるマッサージ機能を有する機能ユニットを１個の電源ユニットに交換して使用する美容器システムである。
従来の美容器と異なり、電源ユニットが共通化されているので機能の追加を低コストで行うことができ、複数の種類の美容のための装置を容易に持ち運べるようになる。
【符号の説明】
【００５４】
１    美容器
１０  機能ユニット
１１  合体面
１２  表面
１３  ヘッド部
１４  スライドスイッチ
２０  電源ユニット
２１  合体面
２２  表面
２３  充電ポート
【図１】
2014014520.tif 000003
【図２】
2014014520.tif 000004
【図３】
2014014520.tif 000005
【図４】
2014014520.tif 000006
【図５】
2014014520.tif 000007